(57)【要約】      （修正有）【課題】温水および冷水を温冷水配管を介して噴射するミスト噴射手段を備え、浴室内をサウナ空間とするサウナ装置において、温冷水配管内に残留した水をサウナ装置外に排出する排水手段を備え、サウナ運転終了後から所定時間経過後に前記排水手段を動作させる配管内残水排水運転を行うことができるサウナ装置を提供することを目的としている。【解決手段】サウナ運転終了後から所定時間経過後に、三方弁１の切替えにより、加湿用温水供給経路１１１内に残留した水の排水を行う事により、浴室内にいる使用者に水をかけることなく、また、サウナ装置内部にスケールおよび菌が繁殖することなく、また使用者に不快感を与えることなくサウナ装置内部に残留した加湿温水を排出することができるサウナ装置を提供できる。【選択図】図１
2008245692.tif 000002
【特許請求の範囲】
【請求項１】
浴室内の空気を循環するための循環風路内に設けた循環ファンおよび加熱手段と、浴室内の空気を排気する換気ファンと、温水および冷水を噴射するミスト噴射手段と、制御手段を備え、前記制御手段は前記循環ファンと前記加熱手段と前記換気ファンと前記ミスト噴射手段を組み合わせて駆動し乾燥運転または／および暖房運転または／および換気運転または／およびサウナ運転を行い、前記各運転を指令する運転指令入力手段と、前記ミスト噴射手段に温水あるいは冷水を供給する温冷水配管に残留した水をサウナ装置外に排出する排水手段を備え、前記制御手段は、サウナ運転終了後から所定時間経過後に前記排水手段を動作させ配管内残水排水運転を行うことを特徴とするサウナ装置。
【請求項２】
浴室の照明を消灯してから所定時間経過後に配管内残水排水運転を行うことを特徴とする請求項１記載のサウナ装置。
【請求項３】
運転指令入力手段は、配管内残水排水運転を行うまでの所定時間を設定する配管内残水排水運転設定機能を備えたことを特徴とする請求項１または２記載のサウナ装置。
【請求項４】
使用者に配管内残水排水運転を行うことを報知する報知手段を備えたことを特徴とする請求項１乃至３のいずれかに記載のサウナ装置。
【請求項５】
報知手段による報知から所定時間内に運転指令入力手段による指令がない際に配管内残水排水運転を行うことを特徴とする請求項４記載のサウナ装置。
【請求項６】
配管内残水排水運転後にサウナ装置内を乾燥する装置乾燥運転を行うようにすることを特徴とする請求項１乃至５記載のいずれかに記載のサウナ装置。
【請求項７】
装置乾燥運転を行うことを報知手段により報知することを特徴とする請求項６記載のサウナ装置。
【請求項８】
温冷水配管の温水あるいは冷水の温度を検知する温度検知手段を備え、所定温度に達した際には配管内残水排水運転および装置乾燥運転を行うことを特徴とする請求項６または７記載のサウナ装置。
【発明の詳細な説明】
【技術分野】
【０００１】
本発明は、浴室内をサウナ空間とするサウナ装置に関するものである。
【背景技術】
【０００２】
従来、この種のサウナ装置は、熱源機から供給された温水をミスト噴霧手段としての噴霧ノズルから噴射することにより浴室内を高温高湿な状態にする方法が知られている（例えば、特許文献１参照）。
【０００３】
以下、そのサウナ装置について図２を参照しながら説明する。
【０００４】
図２に示すように、浴室１０１の天井部１０２に設置されたサウナ装置１０３内部には、浴室１０１内の空気をサウナ装置１０３内部に取りこむための吸込み口１０４、サウナ装置１０３内部で加温した空気を浴室１０１内に吹出す為の吹出し口１０５、空気を循環させるための循環ファン１０６ａ、空気を加温するための熱交換器１０７、熱交換器１０７に温水を供給するための温水循環経路１０８、温水循環経路１０８を循環する温水の循環を閉止するための循環水閉止弁１０９、加湿用の水または温水を浴室内に噴霧するための噴霧ノズル１１０、噴霧ノズル１１０に加湿用の水または温水を供給するための加湿温水供給経路１１１、加湿温水供給経路１１１に温水の供給を停止するための加湿温水閉止弁１１２が設けられている。
【０００５】
サウナ装置１０３に設けられた温水循環経路１０８は外部配管１１３を介してボイラなどの熱源機１１４の暖房用温水循環回路１１５（図示せず）に接続され、熱源機１１４から供給された温水をサウナ装置１０３内部に循環させる。温水循環経路１０８上に設けられた熱交換器１０７上で、循環ファン１０６ａにより装置内に取り込まれた浴室１０１内の空気と熱交換を行うことで浴室１０１内の空気を加温する。熱交換器１０７で熱交換を行うことにより低温となった温水は温水循環経路１０８及び外部配管１１３を介して熱源機１１４に戻り、再び加温されてサウナ装置１０３に供給される。一方、循環ファン１０６ａにより吸込み口１０４からサウナ装置１０３内部に取りこまれた浴室１０１内の空気は熱交換器１０７で加温された後、吹出し口１０５を通って浴室１０１内に吹出すことで浴室１０１内の空気を加温する。
【０００６】
一方、サウナ装置１０３に設けられた加湿温水供給経路１１１は外部給湯配管１１６により、熱源機１１４の給湯回路１１７（図示せず）に接続され、熱源１１４から供給された加湿用温水は外部給湯配管１１６を介してサウナ装置１０３内の加湿温水供給経路１１１に供給され、加湿温水供給経路１１１に接続された噴霧ノズル１１０から浴室１０１内へ細かい霧状に噴霧されることで浴室１０１内の空気を加湿する。
【特許文献１】特開２００２−３３６３２７号公報
【発明の開示】
【発明が解決しようとする課題】
【０００７】
このような従来のサウナ装置では、サウナ運転を終了した際に加湿用温水経路内（配管内）に残った加湿用の水または温水が噴霧ノズルの噴霧口を介して空気と接触しているため、長時間放置すると、水中に存在する金属イオン、珪酸などが水の温度変化などにより濃縮され金属塩が析出し、配管内に堆積、結晶化するスケールの発生要因となる。スケールが進むと有効管内径が減少するため、水流速の減少を招き、加湿能力に悪影響を及ぼす。また、配管内に残った水内部で菌などが繁殖する可能性がある。そのため、サウナ運転終了後に配管内の加湿用の水または温水を外部に排出する必要があるが、浴室内にいる使用者に水をかけることなく排出することが難しく、また、使用者がいなくなるまで遅延して排出したとしても浴室内を濡らしてしまうため、浴室内のカビ発生要因となり得る、また、使用者に不快感を与えるという課題があり、サウナ運転終了後に使用者に不快感を与えることなく配管内部に残留した加湿温水を排出する配管内残水排水運転を行う、または使用者に配管内残水排水運転を促すサウナ装置を提供することが要求されている。
【０００８】
本発明は、このような従来の課題を解決するものであり、浴室内にいる使用者に水をかけることなく、また、サウナ装置内部にスケールおよび菌が繁殖することなく、また、使用者に不快感を与えることなく残留した加湿温水を排出する配管内残水排水運転を行う、または使用者に配管内残水排水運転を促すことができるサウナ装置を提供することを目的としている。
【０００９】
また、業者やメーカによるサウナ装置設置時の試運転から使用者が入居するまでの間や、使用者の旅行や出張など長期にわたり不在になる際、特に寒冷地において、配管凍結による破裂防止のため、サウナ運転終了時だけでなく水抜きをする必要がある。
【００１０】
本発明は、このような従来の課題を解決するものであり、長期不在にする際など使用者の意思により、浴室内にいる使用者に水をかけることなく、また、サウナ装置内部に菌が繁殖することなく、また、使用者に不快感を与えることなく残留した加湿温水を排出することができるサウナ装置を提供することを目的としている。
【００１１】
また、サウナ運転終了後にサウナ装置内部に残留した加湿温水を排出した直後は、浴室内はまだ温度、湿度共に高い状態であることが想定され、装置内部の結露発生と結露水による菌繁殖が懸念されるという課題があり、装置内部を乾燥する装置乾燥運転を行う、または使用者に装置乾燥運転を促すサウナ装置を提供することが要求されている。
【００１２】
本発明は、このような従来の課題を解決するものであり、サウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供することを目的としている。
【課題を解決するための手段】
【００１３】
本発明のサウナ装置は上記目的を達成するために、浴室内の空気を循環するための循環風路内に設けた循環ファンおよび加熱手段と、浴室内の空気を排気する換気ファンと、温水および冷水を噴射するミスト噴射手段と、制御手段を備え、前記制御手段は前記循環ファンと前記加熱手段と前記換気ファンと前記ミスト噴射手段を組み合わせて駆動し乾燥運転または／および暖房運転または／および換気運転または／およびサウナ運転を行い、前記各運転を指令する運転指令入力手段と、前記ミスト噴射手段に温水あるいは冷水を供給する温冷水配管に残留した水をサウナ装置外に排出する排水手段を備え、前記制御手段は、サウナ運転終了後から所定時間経過後に前記排水手段を動作させ配管内残水排水運転を行うことを特徴としたものである。
【００１４】
この手段により、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できる。
【００１５】
また、第２の課題解決手段は、浴室の照明を消灯してから所定時間経過後に前記配管内残水排水運転を行うことを特徴としたものである。
【００１６】
この手段により、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できる。
【００１７】
また、第３の課題解決手段は、運転指令入力手段に前記配管内残水排水運転を行うまでの所定時間を設定する配管内残水排水運転設定機能を備えたことを特徴としたものである。
【００１８】
この手段により、使用者が配管内残水排水運転を行うまでの所定時間を選択することにより、使用者の生活スタイルに合わせて配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できる。
【００１９】
また、第４の課題解決手段は、使用者に配管内残水排水運転を行うことを報知する報知手段を備えたことを特徴としたものである。
【００２０】
この手段により、使用者が配管内残水排水運転を行わずに通常使用する際には運転指令入力手段により使用でき、使用者の生活スタイルに合わせて配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できる。
【００２１】
また、第５の課題解決手段は、前記報知手段による報知から所定時間内に前記運転指令入力手段による指令がない際に配管内残水排水運転を行うことを特徴としたものである。
【００２２】
この手段により、指令がない際には使用者が浴室内から退室している、または使用者が承諾したと判断し、配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できる。
【００２３】
また、第６の課題解決手段は、前記配管内残水排水運転後にサウナ装置内を乾燥する装置乾燥運転を行うことを特徴としたものである。
【００２４】
この手段により、サウナ装置内部が結露することなくサウナ装置内部を乾燥する装置乾燥運転を行うことができるサウナ装置を提供できる。
【００２５】
また、第７の課題解決手段は、前記装置乾燥運転を行うことを前記報知手段により報知することを特徴としたものである。
【００２６】
この手段により、使用者に装置乾燥運転を行う旨を報知することで、サウナ装置内部が結露することなくサウナ装置内部を乾燥する装置乾燥運転を、使用者が誤って中断することを防止できるサウナ装置を提供できる。
【００２７】
また、第８の課題解決手段は、温冷水配管の温水あるいは冷水の温度を検知する温度検知手段を備え、所定温度に達した際には前記配管内残水排水運転および前記装置乾燥運転を行うことを特徴としたものである。
【００２８】
この手段により、配管凍結による破裂防止のため配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができ、さらに、サウナ装置内部が結露することなくサウナ装置内部を乾燥する装置乾燥運転を行うことができるサウナ装置を提供できる。
【発明の効果】
【００２９】
本発明によれば浴室内にいる使用者に水をかけることなく、また、サウナ装置内部にスケールおよび菌が繁殖することなく、また、使用者に不快感を与えることなくサウナ装置内部に残留した加湿温水を排出する配管内残水排水運転を行うことができるサウナ装置を提供できる。
【００３０】
また、本発明によれば長期不在にする際など使用者の意思により、浴室内にいる使用者に水をかけることなく、また、サウナ装置内部に菌が繁殖することなく、また、使用者に不快感を与えることなく残留した加湿温水を排出することができるサウナ装置を提供できる。
【００３１】
本発明によれば浴室内にいる使用者に水をかけることなく、また、サウナ装置内部にスケールおよび菌が繁殖することなく、また、使用者に不快感を与えることなくサウナ装置内部に残留した加湿温水を排出する配管内残水排水運転を行うよう使用者に促すことができるサウナ装置を提供できる。
【００３２】
また、本発明によればサウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供できる。
【発明を実施するための最良の形態】
【００３３】
本発明の請求項１記載の発明は、浴室内の空気を循環するための循環風路内に設けた循環ファンおよび加熱手段と、浴室内の空気を排気する換気ファンと、温水および冷水を噴射するミスト噴射手段と、制御手段を備え、前記制御手段は前記循環ファンと前記加熱手段と前記換気ファンと前記ミスト噴射手段を組み合わせて駆動し乾燥運転または／および暖房運転または／および換気運転または／およびサウナ運転を行い、前記各運転を指令する運転指令入力手段と、前記ミスト噴射手段に温水あるいは冷水を供給する温冷水配管に残留した水をサウナ装置外に排出する排水手段を備え、前記制御手段は、サウナ運転終了後から所定時間経過後に前記排水手段を動作させ配管内残水排水運転を行うことを特徴とするサウナ装置であり、使用者がサウナ運転終了後から所定時間経過後、配管内のスケール発生抑制と菌繁殖防止のためサウナ装置外に残水を排水する際に、前記排出手段は使用者に触れ難い箇所へ残水を排出することとなり、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できるという作用を有する。
【００３４】
また、請求項２記載の発明は、浴室の照明を消灯してから所定時間経過後に前記配管内残水排水運転を行うことを特徴とするサウナ装置であり、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できるという作用を有する。
【００３５】
また、請求項３記載の発明は、前記運転指令入力手段は、前記配管内残水排水運転を行うまでの所定時間を設定する配管内残水排水運転設定機能を備えたことを特徴とするサウナ装置であり、使用者が配管内残水排水運転を行うまでの所定時間を選択することにより、使用者の生活スタイルに合わせて配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できるという作用を有する。
【００３６】
また、請求項４記載の発明は、使用者に配管内残水排水運転を行うことを報知する報知手段を備えたことを特徴とするサウナ装置であり、使用者が配管内残水排水運転を行わずに通常使用する際には運転指令入力手段により使用でき、使用者の生活スタイルに合わせて配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できるという作用を有する。
【００３７】
また、請求項５記載の発明は、前記報知手段による報知から所定時間内に前記運転指令入力手段による指令がない際に配管内残水排水運転を行うことを特徴とするサウナ装置であり、指令がない際には使用者が浴室内から退室している、または使用者が承諾したと判断し、配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができるサウナ装置を提供できるという作用を有する。
【００３８】
また、請求項６記載の発明は、前記配管内残水排水運転後にサウナ装置内を乾燥する装置乾燥運転を行うことを特徴とするサウナ装置であり、サウナ装置内部が結露することなくサウナ装置内部を乾燥する装置乾燥運転を行うことができるサウナ装置を提供できるという作用を有する。
【００３９】
また、請求項７記載の発明は、前記装置乾燥運転を行うことを前記報知手段により報知することを特徴とするサウナ装置であり、使用者に装置乾燥運転を行う旨を報知することで、サウナ装置内部が結露することなくサウナ装置内部を乾燥する装置乾燥運転を、使用者が誤って中断することを防止できるサウナ装置を提供できるという作用を有する。
【００４０】
また、請求項８記載の発明は、温冷水配管の温水あるいは冷水の温度を検知する温度検知手段を備え、所定温度に達した際には前記配管内残水排水運転および前記装置乾燥運転を行うことを特徴とするサウナ装置であり、配管凍結による破裂防止のため配管内残水排水運転を行うことができ、浴室内にいる使用者に水をかけることなく、また、サウナ装置内部にスケールおよび菌が繁殖することなく、また、使用者に不快感を与えることなくサウナ装置内部に残留した加湿温水を排出することができ、さらに、サウナ装置内部が結露することなくサウナ装置内部を乾燥する装置乾燥運転を行うことができるサウナ装置を提供できるという作用を有する。
【００４１】
以下、本発明の実施の形態について図面を参照しながら説明する。
【００４２】
（実施の形態１）
図１に示すように、浴室１０１の天井部１０２に設置されたサウナ装置１０３内部には、浴室１０１内の空気をサウナ装置１０３内部に取りこむための吸込み口１０４、サウナ装置１０３内部で加温した空気を浴室１０１内に吹出す為の吹出し口１０５、空気を循環させるための循環ファン１０６ａ、空気を排出する為の換気ファン１０６ｂ、空気を加温するための熱交換器１０７、熱交換器１０７に温水を供給するための温水循環経路１０８、温水循環経路１０８を循環する温水の循環を停止するための循環水閉止弁１０９、加湿用の水または温水を浴室１０１内に噴霧するための噴霧ノズル１１０、噴霧ノズル１１０に加湿用の水または温水を供給するための温冷水配管、すなわち加湿温水供給経路１１１、この加湿温水供給経路１１１に供給する温水の供給を停止するための加湿温水閉止弁１１２が設けられている。
【００４３】
サウナ装置１０３に設けられた温水循環経路１０８は外部配管１１３を介してボイラなどの熱源機１１４の暖房用温水循環回路１１５（図示せず）に接続され、熱源機１１４から供給された温水をサウナ装置１０３内部に循環させる。温水循環経路１０８上に設けられた熱交換器１０７上で、循環ファン１０６ａによりサウナ装置１０３内に取り込まれた浴室１０１内の空気と熱交換を行うことで浴室１０１内の空気を加温する。熱交換器１０７で熱交換を行う事により低温となった温水は温水循環経路１０８及び外部配管１１３を介して熱源機１１４に戻り、再び加温されてサウナ装置１０３に供給される。また、循環ファン１０６ａにより吸込み口１０４からサウナ装置１０３内部に取りこまれた浴室１０１内の空気は熱交換器１０７で加温された後、吹出し口１０５を通って浴室１０１内に戻される事で浴室１０１内の空気を加温する。
【００４４】
一方、サウナ装置１０３に設けられた加湿温水供給経路１１１は外部給湯配管１１６により、熱源機１１４の給湯回路１１７（図示せず）に接続され、熱源機１１４から供給された加湿用温水は外部給湯配管１１６を介してサウナ装置１０３内の加湿温水供給経路１１１に供給され、加湿温水供給経路１１１に接続された噴霧ノズル１１０から浴室１０１内へ細かい霧状に噴霧されることで浴室１０１内の空気を加湿する。
【００４５】
サウナ装置１０３の温冷水配管としての加湿水供給経路１１１の入口部には、加湿水供給経路１１１内に残留したの排水とミスト噴射手段としての噴霧ノズル１１０に供給を行う三方弁１が備えられており、三方弁１の切替えにより、加湿水供給経路１１１内に残留した水の排水とミスト噴射手段としての噴霧ノズル１１０への供給が行われる。三方弁１の入口側は熱源機１１４から供給される外部給湯配管１１６に接続されており、三方弁１の出口側の一方はサウナ装置１０３内部の加湿温水供給経路１１１に接続されており、他方はサウナ装置１０３外部に排水を行うための排水経路２に接続されている。排水経路２はサウナ装置１０３外部に設けられた外部排水配管３に接続され、外部排水配管３は浴室１０１の外側を浴室１０１の下部に設けられた浴室１０１内の浴槽および洗い場の排水を一時貯留するためのドレンパン４近傍の壁面付近まで配設され、ドレンパン４近傍の壁面を貫通することによりドレンパン４にサウナ装置１０３から排出された水を排水する。浴室１０１の壁面の貫通部には浴室１０１内の水蒸気が浴室外部に漏れないようシールされ取り付けられた管接続部材５を設けている。排水手段は、例えば、三方弁１と排水経路２と外部排水配管３から構成されており、三方弁１の切替えにより、加湿水供給経路１１１内に残留した水が排水経路２と外部排水配管３を通って排水が行えわれることとなる。
【００４６】
また、運転動作や設定などの指示や表示を行う運転指令入力手段としてのリモコンなどの遠隔操作装置６および浴室１０１の照明スイッチ７（図示せず）の入力により三方弁１、循環ファン１０６ａ、換気ファン１０６ｂ、循環水閉止弁１０９、加湿温水閉止弁１１２などの出力を制御する制御手段８が設けられている。
【００４７】
遠隔操作装置６は浴室１０１内や台所、脱衣室などに設けられた有線方式または電波や光、その他媒体を利用した無線方式の制御手段８と双方向に通信可能なリモコンで、各操作スイッチの操作により制御手段８に運転モードや設定などの指令を行うこととなる。遠隔操作装置６には乾燥運転モードを指令するスイッチ、暖房運転モードを指令するスイッチ、換気運転モードを指令するスイッチ、涼風運転モードを指令するスイッチ、サウナ運転モードを指令するサウナ運転スイッチ６ａ、暖房運転やサウナ運転など好みの温度設定にできるような温度設定スイッチや、吹出し口から吹出される風の向きを切り替えるための風向切り替えスイッチ、サウナ装置１０３内部に残留した加湿温水を排出する配管内残水排水運転を行うまでの所定時間を設定する配管内残水排水運転設定スイッチ６ｂ、使用者に配管内残水排水運転を音声、ブザー、ＬＥＤの点灯、点滅などで報知したり、配管内残水排水運転中であることを使用者に報知する報知手段６ｃなどが設けられている。
【００４８】
制御手段８は、マイクロコンピュータなどを利用した制御基板により、遠隔操作装置６からの入力情報、循環ファン１０６ａや換気ファン１０６ｂのファン回転数情報、温度検出手段（図示せず）による温度情報などを入力とし、その情報に応じて、リレーの開閉やオンオフ信号、ファン回転数指令信号などを出力することで各々動作させ、三方弁１、循環ファン１０６ａ、換気ファン１０６ｂ、循環水閉止弁１０９、加湿温水閉止弁１１２などを制御することとなる。
【００４９】
サウナ装置１０３を浴室１０１に設置した直後は外部配管１１３内部には配管設置時のゴミなどが付着しており、初回の通水時にこれらのゴミが押し流され、サウナ装置１０３に流入する可能性がある。このため、サウナ装置の電源投入時を初回通水時と判断して配管内残水排水運転を行う。
【００５０】
配管内残水排水運転は、制御手段８より三方弁１の通水方向を三方弁１の入口から排水経路２側に通水する方向になるよう制御され、初回通水時に押し流されてくる配管内のゴミ等を排水経路２方向へ通水させ外部排水配管３へと送る。一定量以上または一定時間、例えば３０秒から３分の通水を行うことによって配管内の洗浄、排水を行うようにしている。
【００５１】
使用者がサウナ運転行う際には、遠隔操作装置６に備えられたサウナ運転スイッチ６ａを押すことで実行される。
【００５２】
サウナ運転は、制御手段８により三方弁１の通水方向を入口からサウナ装置１０３内部の加湿温水供給経路１１１側に通水する方向に切り替え、加湿温水閉止弁１１２を開弁し、加湿温水供給経路１１１の下流に設けられた噴霧ノズル１１０から温水を浴室１０１内に噴霧することで浴室１０１内を加湿し、循環水閉止弁１０９を開弁し、熱源機１１４で暖められた温水を熱交換器１０７に循環供給し、吸込み口１０４より吸い込んだ空気を熱交換器１０７により加温し、循環ファン１０６ａの動作により吹出し口１０５より温風を噴き出すことで浴室１０１内を加温することによりサウナ運転が行われる。
【００５３】
浴室１０１の照明スイッチ７により消灯した際、または、サウナ運転を遠隔操作装置６による停止指令や運転時間の完了により停止した際には、リモコンなどの遠隔操作装置６に備えられた配管内残水排水運転設定スイッチ６ｂにより予め設定された所定時間、設定されていない際には所定値のタイマがカウントダウンされる。所定時間は使用者の生活スタイルにより左右されるが、数分後乃至４８時間程度が望ましい。所定時間のタイマが０になり、サウナ装置が停止状態にあれば使用者が浴室１０１から退室していると判断し、配管内残水排水運転を行うべく、また、使用者が誤って中断してしまう事のないよう遠隔操作装置６に備えられた報知手段６ｃによりＬＥＤの点灯、点滅やブザーの鳴動、音声など、例えば、配管内残水排水運転を行う旨を音声で「３０秒後排水運転を行います」、配管内残水排水運転中であることをＬＥＤの点灯で報知することとなる。
【００５４】
配管内残水排水運転を行う旨の報知後、使用者の遠隔操作装置６による入力がなければ浴室から使用者が退室していると判断し、先述の配管内残水排水運転を行い、加湿温水供給経路１１１内に残留した水をすべて排水することとなる。
【００５５】
上記のようなサウナ装置の構成と運転方法により、浴室内にいる使用者に水をかけることなく、また、サウナ装置内部にスケールおよび菌が繁殖することなく、また、使用者に不快感を与えることなく残留した加湿温水を排出する配管内残水排水運転を行う、または使用者に配管内残水排水運転を促すことができるサウナ装置を提供することが可能となる。
【００５６】
また、サウナ装置設置時の試運転、長期不在にする際など使用者の意思により、サウナ装置内の水抜きを行う場合、浴室内にいる使用者に水をかけることなく、また、サウナ装置内部に菌が繁殖することなく、また、使用者に不快感を与えることなく残留した加湿温水を排出することができるサウナ装置を提供することが可能となる。
【００５７】
なお、本実施の形態において、報知手段６ｃは配管内残水排水運転を行う旨を音声による案内、配管内残水排水運転中であることをＬＥＤの点灯で案内としたが、詳細な報知内容の有無、案内の組合せなどを問わず、その作用効果に差異は生じない。
【００５８】
なお、本発明におけるサウナ空間とは、通常空間よりも高温、高湿で、使用者の発汗が促進される空間であり、一例として温度が３５℃〜４５℃、相対湿度８０％程度の空間である。ただし、人体からの発汗が促進される空間であれば良く、温度、湿度とも使用者の好みに合わせて変化させられることが望ましい。
【００５９】
（実施の形態２）
実施の形態１と同一部分は同一符号を附し詳細な説明は省略する。実施の形態１において、遠隔操作装置６に備えられた配管内残水排水運転設定スイッチ６ｂにより予め設定された所定時間、設定されていない際には所定値のタイマがカウントダウンされ、タイマが０となりサウナ装置が停止状態にあれば使用者が浴室１０１から退室していると判断し、配管内残水排水運転を行うとしたが、浴室１０１内はまだ高温、高湿な空間が予想されるため、配管内残水排水運転を行った後、続いて装置内を乾燥させる装置乾燥運転を行うというものである。
【００６０】
また、加湿温水供給経路１１１の温度を検知するサーミスタなどの温冷水配管温度検知手段を備え、所定温度、例えば２℃以下に達した際には配管凍結による破裂防止のため前記配管内残水排水運転を行い、続いて装置内を乾燥させる前記装置乾燥運転を行うというものである。
【００６１】
装置乾燥運転は循環水閉止弁１０９を開弁し、熱源機１１４で暖められた温水を熱交換器１０７に循環供給し、吸込み口１０４より吸い込んだ空気を熱交換器１０７により加温し、吹出し口１０５を極力閉じるよう風向を切り替え、循環ファン１０６ａを動作させることによりサウナ装置１０３内部に熱が篭るよう制御することでサウナ装置１０３内部を乾燥することとなる。
【００６２】
また、装置乾燥運転を行う際、および装置乾燥運転中は使用者が誤って中断してしまう事のないよう遠隔操作装置６に備えられた報知手段６ｃにより使用者にＬＥＤの点灯や点滅、ブザーの鳴動、音声などで報知することとなる。
【００６３】
上記のようなサウナ装置の構成と運転方法により、実施の形態１での作用効果に加え、サウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供することが可能となる。
【産業上の利用可能性】
【００６４】
本発明にかかるサウナ装置では、浴室内にいる使用者に水をかけることなく、また、サウナ装置内部にスケールおよび菌が繁殖することなく、また、使用者に不快感を与えることなくサウナ装置内部に残留した加湿温水を排出する配管内残水排水運転を行うことができ、また、長期不在にする際など使用者の意思により、配管内残水排水運転を行うことができ、さらに、サウナ装置内部に残留した加湿温水を排出した後、結露防止と菌発生抑制のためサウナ装置内部を乾燥する装置乾燥運転を行う、または使用者に装置乾燥運転を促すことができるものであり、浴室に限らず、居室の加湿を行う空気調和装置などへの用途にも適用できる。
【図面の簡単な説明】
【００６５】
【図１】本発明の実施の形態１のサウナ装置の概念図
【図２】従来のサウナ装置の概念図
【符号の説明】
【００６６】
１        三方弁
２        排水経路
３        外部排水配管
４        ドレンパン
６        遠隔操作装置
７        照明スイッチ（図示せず）
８        制御手段
１０１    浴室
１０２    天井部
１０３    サウナ装置
１０４    吸込み口
１０５    吹出し口
１０６ａ  循環ファン
１０６ｂ  換気ファン
１０７    熱交換器
１０８    温水循環経路
１０９    循環水閉止弁
１１０    噴霧ノズル
１１１    加湿温水供給経路
１１２    加湿温水閉止弁
１１３    外部配管
１１４    熱源機
１１５    暖房用温水循環回路（図示せず）
１１６    外部給湯配管
１１７    給湯回路（図示せず）
【図１】
2008245692.tif 000003
【図２】
2008245692.tif 000004